【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
省電力状態に移行可能な画像形成装置であって、
印刷処理を実行するプリンタ部と、
前記プリンタ部に設けられる少なくとも１つのモータの駆動信号を出力する第１制御部と、
前記モータへの電力供給を制御する第２制御部と、
表示部と、を備え、
前記省電力状態で復帰指示を受信したときに、前記表示部に第１の初期画面が表示される場合、前記第２制御部は、前記モータに電力が供給されるよう制御し、前記第１制御部は、前記駆動信号を出力し、
前記省電力状態で復帰指示を受信したときに、前記表示部に第２の初期画面が表示される場合、前記第２制御部は、前記モータに電力が供給されるよう制御するが、前記第１制御部は、前記駆動信号を出力しない、ことを特徴とする画像形成装置。
【請求項２】
前記第１制御部が前記駆動信号を出力するのを禁止する特定の信号を出力する信号出力部をさらに備え、
前記省電力状態で前記復帰指示を受信したときに、前記表示部に前記第１の初期画面が表示される場合、前記信号出力部は、前記特定の信号を出力せず、
前記省電力状態で前記復帰指示を受信したときに、前記表示部に前記第２の初期画面が表示される場合、前記信号出力部は、前記特定の信号を出力する、ことを特徴とする請求項１に記載の画像形成装置。
【請求項３】
前記モータは、ポリゴンモータを駆動するモータ、シートを搬送するために使用されるモータ、ファンを駆動するモータ、ドラムを駆動するモータのいずれかである、ことを特徴とする請求項１又は２に記載の画像形成装置。
【請求項４】
原稿を読み取るリーダ部と、
前記リーダ部に設けられる少なくとも１つのモータの他の駆動信号を出力する第３制御部と、をさらに備え、
前記省電力状態で復帰指示を受信したときに、前記表示部に前記第１の初期画面が表示される場合、前記第２制御部は、前記プリンタ部のモータ及び前記リーダ部のモータに電力が供給されるよう制御し、前記第１制御部は、前記駆動信号を出力し、且つ、前記第３制御部は、他の駆動信号を出力する、ことを特徴とする請求項１乃至３の何れか１項に記載の画像形成装置。
【請求項５】
前記モータは、読み取りヘッドを移動させるモータ、原稿を搬送するための使用されるモータの何れかである、ことを特徴とする請求項４に記載の画像形成装置。
【請求項６】
前記表示部は、前記初期画面を選択するための選択画面を表示する、ことを特徴とする請求項１乃至５の何れか１項に記載の画像形成装置。
【請求項７】
前記省電力状態では、前記第１制御部及び前記モータへの電力供給が遮断される、ことを特徴とする請求項１乃至６の何れか１項に記載の画像形成装置。
【請求項８】
前記初期画面が前記第１の初期画面である場合、第１情報をレジスタに記憶する主制御部をさらに備え、
前記復帰指示を受信したときに、
前記省電力状態で復帰指示を受信したときに、前記第１情報が前記レジスタに記憶される場合、前記第２制御部は、前記モータに電力が供給されるよう制御し、前記第１制御部は、前記駆動信号を出力し、
前記省電力状態で復帰指示を受信したときに、前記第１情報が前記レジスタに記憶されない場合、前記第２制御部は、前記モータに電力が供給されるよう制御するが、前記第１制御部は、前記駆動信号を出力しない、ことを特徴とする請求項１乃至７の何れか１項に記載の画像形成装置。
【請求項９】
省電力状態に移行可能な画像形成装置であって、
印刷処理を実行するプリンタ部と、
前記プリンタ部の駆動を制御する第１制御部と、
前記プリンタ部の少なくとも１つのデバイスへの電力供給を制御する第２制御部と、
表示部と、を備え、
前記省電力状態で復帰指示を受信したことに従って、前記表示部に第１の初期画面が表示される場合、前記第２制御部は、前記デバイスに電力が供給されるよう制御し、前記第１制御部は、前記デバイスを駆動するよう制御し、
前記省電力状態で復帰指示を受信したことに従って、前記表示部に第２の初期画面が表示される場合、前記第２制御部は、前記デバイスに電力が供給されるよう制御するが、前記第１制御部は、前記デバイスを駆動させる制御をしない、ことを特徴とする画像形成装置。
【請求項１０】
前記第１制御部が前記プリンタ部の駆動を制御するのを禁止する特定の信号を出力する信号出力部をさらに備え、
前記省電力状態で前記復帰指示を受信したときに、前記表示部に前記第１の初期画面が表示される場合、前記信号出力部は、前記特定の信号を出力せず、
前記省電力状態で前記復帰指示を受信したときに、前記表示部に前記第２の初期画面が表示される場合、前記信号出力部は、前記特定の信号を出力する、ことを特徴とする請求項９に記載の画像形成装置。
【請求項１１】
前記デバイスは、ポリゴンモータを駆動するモータ、シートを搬送するために使用されるモータ、ファンを駆動するモータ、ドラムを駆動するモータのいずれかである、ことを特徴とする請求項９又は１０に記載の画像形成装置。
【請求項１２】
原稿を読み取るリーダ部と、
前記リーダ部に設けられる少なくとも１つの他のデバイスの駆動を制御する第３制御部と、をさらに備え、
前記省電力状態で前記復帰指示を受信したときに、前記表示部に前記第１の初期画面が表示される場合、前記第２制御部は、前記プリンタ部のデバイス及び前記リーダ部のデバイスに電力が供給されるよう制御し、前記第１制御部は、プリンタ部の駆動を制御し、且つ、前記第３制御部は、他のデバイスを駆動を制御する、ことを特徴とする請求項９乃至１１の何れか１項に記載の画像形成装置。
【請求項１３】
前記デバイスは、読み取りヘッドを移動させるモータ、原稿を搬送するための使用されるモータの何れかである、ことを特徴とする請求項１２に記載の画像形成装置。
【請求項１４】
前記表示部は、前記初期画面を選択するための選択画面を表示する、ことを特徴とする請求項９乃至１３の何れか１項に記載の画像形成装置。
【請求項１５】
前記省電力状態では、前記第１制御部及び前記デバイスへの電力供給が遮断される、ことを特徴とする請求項９乃至１４の何れか１項に記載の画像形成装置。
【請求項１６】
前記初期画面が前記第１の初期画面である場合、第１情報をレジスタに記憶する主制御部をさらに備え、
前記復帰指示を受信したときに、
前記省電力状態で復帰指示を受信したときに、前記第１情報が前記レジスタに記憶される場合、前記第２制御部は、前記デバイスに電力が供給されるよう制御し、前記第１制御部は、前記デバイスを駆動し、
前記省電力状態で復帰指示を受信したときに、前記第１情報が前記レジスタに記憶されない場合、前記第２制御部は、前記デバイスに電力が供給されるよう制御するが、前記第１制御部は、前記デバイスを駆動しない、ことを特徴とする請求項９乃至１５の何れか１項に記載の画像形成装置。
【請求項１７】
プリンタ部と、前記プリンタ部に設けられる少なくとも１つのモータの駆動信号を出力する第１制御部と、前記モータへの電力供給を制御する第２制御部と、表示部とを備え、省電力状態に移行可能な画像形成装置の制御方法であって、
前記省電力状態で復帰指示を受信したときに、前記表示部に第１の初期画面が表示される場合、前記第２制御部は、前記モータに電力が供給されるよう制御し、前記第１制御部は、前記駆動信号を出力するよう制御し、
前記省電力状態で復帰指示を受信したときに、前記表示部に第２の初期画面が表示される場合、前記第２制御部は、前記モータに電力が供給されるよう制御するが、前記第１制御部は、前記駆動信号を出力しないよう制御する、ことを特徴とする画像形成装置の制御方法。
【請求項１８】
プリンタ部と、前記プリンタ部の駆動を制御する第１制御部と、前記プリンタ部の少なくとも１つのデバイスへの電力供給を制御する第２制御部と、表示部とを備え、省電力状態に移行可能な画像形成装置の制御方法であって、
前記省電力状態で復帰指示を受信したことに従って、前記表示部に第１の初期画面が表示される場合、前記第２制御部は、前記デバイスに電力が供給されるよう制御し、前記第１制御部は、前記デバイスが駆動するよう制御し、
前記省電力状態で前記復帰指示を受信したことに従って、前記表示部に第２の初期画面が表示される場合、前記第２制御部は、前記デバイスに電力が供給されるよう制御するが、前記第１制御部は、前記デバイスを駆動させる制御をしない、ことを特徴とする画像形成装置の制御方法。
【手続補正２】
【補正対象書類名】明細書
【補正対象項目名】００１５
【補正方法】変更
【補正の内容】
【００１５】
上記目的を達成する本発明の画像形成装置は以下に示す構成を備える。
省電力状態に移行可能な画像形成装置であって、印刷処理を実行するプリンタ部と、前記プリンタ部に設けられる少なくとも１つのモータの駆動信号を出力する第１制御部と、前記モータへの電力供給を制御する第２制御部と、表示部と、を備え、前記省電力状態で復帰指示を受信したときに、前記表示部に第１の初期画面が表示される場合、前記第２制御部は、前記モータに電力が供給されるよう制御し、前記第１制御部は、前記駆動信号を出力し、前記省電力状態で復帰指示を受信したときに、前記表示部に第２の初期画面が表示される場合、前記第２制御部は、前記モータに電力が供給されるよう制御するが、前記第１制御部は、前記駆動信号を出力しない、ことを特徴とする。
【手続補正３】
【補正対象書類名】図面
【補正対象項目名】図７
【補正方法】変更
【補正の内容】
【図７】
2015222909.tif 000001